(57)【特許請求の範囲】
【請求項１】
モータと、前記モータの回転数を検知する回転数センサと、前記モータで水平方向を回転軸として回転駆動されるフィルタと、前記フィルタの下方の一部を収納した水槽と、前記水槽に貯水する給水手段と、前記水槽の貯水を排水する排水手段と、前記水槽内において前記フィルタに水を噴射する噴射手段と、前記モータと前記給水手段と前記排水手段と前記噴射手段とを制御する制御手段を備え、前記制御装置は、前記水槽に貯水した状態で前記フィルタを低速で所定時間回転させ、次に前記排水手段により前記貯水を排水状態にし、次に前記フィルタを高速で回転した状態で前記噴射手段により前記フィルタに水を噴射するようにし、次に前記噴射手段の噴射を停止し前記フィルターを高速で所定時間回転させる制御を実行し、前記回転数センサの信号を回転数の所定値と比較することにより、前記モータと前記給水手段と前記排水手段と前記噴射手段の正常と異常を判断し、異常を判断した場合には洗浄運転を停止するフィルタ洗浄装置。
【請求項２】
前記水槽に貯水した状態で前記フィルタを低速で所定時間回転させる制御の前に、前記フィルタを高速回転させ、前記回転数センサが検知する回転数が所定値以下のときに前記フィルタが前記モータに装着されている正常状態と判断し、所定値以上のときに前記フィルタが前記モータに装着されていない異常状態と判断する請求項１記載のフィルタ洗浄装置。
【請求項３】
前記水槽に貯水した状態で前記フィルタを低速で所定時間回転する際に、前記回転数センサが検知する回転数が所定範囲内のときに適正な貯水が行われた正常状態と判断し、所定範囲外のときに適正な貯水が実施されなかった異常状態と判断する請求項１記載のフィルタ洗浄装置。
【請求項４】
前記フィルタを高速で回転した状態で前記噴射手段により前記フィルタに水を噴射する際に、前記回転数センサが検知する回転数が所定値以上のときに正常に排水がなされたと判断し、所定値以下のときに前記排水手段の異常と判断する請求項１記載のフィルタ洗浄装置。
【請求項５】
前記フィルタを高速で回転した状態で前記噴射手段により前記フィルタに水を噴射する際に、フィルタを所定時間回転させた後に水を噴射するように制御し、前記回転数センサが検知する回転数が所定範囲内のときに適正な噴射が行われた正常状態と判断し、所定範囲外のときに適正な噴射が実施されなかった異常状態と判断する請求項１記載のフィルタ洗浄装置。
【請求項６】
前記モータ、前記給水手段、前記排水手段、前記噴射手段の異常を判断した場合には、使用者への告知を行う請求項１から５のいずれかに記載のフィルタ洗浄装置。
【発明の詳細な説明】
【技術分野】
【０００１】
本発明は、家庭の厨房に使用されるレンジフードのフィルタ洗浄装置に関する。
【背景技術】
【０００２】
住宅の高気密化に伴って厨房における調理の際に発生する熱気や油煙を浄化して屋外に排出するレンジフードと呼ばれる換気装置が普及している。
【０００３】
このレンジフードには、排出する空気を浄化するための多孔質の素材、例えば金属メッシュのフィルタが装備されているが、レンジフードの使用経過に伴ってフィルタに油や塵埃が付着して換気性能が低下し、また、排気ファンの騒音が増大する。
【０００４】
このため、使用者において定期的にフィルタをレンジフード本体から取り外し、水洗いすることが必要であった。
【０００５】
この作業は、作業が繁雑で、且つ、手を汚すことから、フィルタを自動的に洗浄できるものが望まれており、この要望に応えるものとして、例えば特許文献１に示すようなものが提案されている。
【０００６】
特許文献１に示すものは、フィルタ（浄化部）の下部に浄化槽を設け、この浄化槽の中でフィルタを回転させながらフィルタの洗浄を行うようにしたものである。
【特許文献１】特開２０００−２１３７８４号公報
【発明の開示】
【発明が解決しようとする課題】
【０００７】
このような従来のフィルタ洗浄では、十分な洗浄性能が得られない課題があった。すなわち、フィルタに液状に付着している油は比較的容易に除去できるが、塵埃とともに固形状に付着している油は除去しにくいという課題があった。
【０００８】
そこで、油等で汚染したフィルタを水槽に浸漬して洗浄し、次に貯水を排水状態にする行程により脱離した油を排出し、次にフィルタを高速で回転させフィルタに水を噴射する行程によりフィルタに残留した油および塵埃を剥離し、次に水の噴射を停止しフィルタを高速で回転させることにより塵埃を飛ばすことでフィルタの洗浄性能を向上できることを発見したが、これらの一連の複数の行程を実行させるためには複数のセンサを用いる必要があり、装置が複雑になる課題があった。
【０００９】
本発明は、上記の課題を解決するものであり、塵埃とともに固形状に付着している油を除去し、前述のセンサの個数を極力少なくして装置の構成を簡素にすることで廉価に製造できるフィルタ洗浄装置を提供することを目的としている。
【課題を解決するための手段】
【００１０】
本発明のフィルタ洗浄装置は上記目的を達成するために、モータと、モータの回転数を検知する回転数センサと、モータで水平方向を回転軸として回転駆動されるフィルタと、フィルタの下方の一部を収納した水槽と、水槽に貯水する給水手段と、水槽の貯水を排水する排水手段と、水槽内においてフィルタに水を噴射する噴射手段と、モータと給水手段と排水手段と噴射手段とを制御する制御手段を構成要素として備え、制御装置は、水槽に貯水した状態でフィルタを低速で所定時間回転させ、次に排水手段により貯水を排水状態にし、次にフィルタを高速で回転した状態で噴射手段によりフィルタに水を噴射するようにし、次に噴射手段の噴射を停止しフィルターを高速で所定時間回転させる制御を実行し、回転数センサの信号を回転数の所定値と比較することにより、モータと給水手段と排水手段と噴射手段の正常と異常を判断し、異常を判断した場合には洗浄運転を停止するようにしたものである。
【００１１】
また、水槽に貯水した状態でフィルタを低速で所定時間回転させる制御の前に、フィルタを高速回転させ、回転数センサが検知する回転数が所定値以下のときにフィルタがモータに装着されている正常状態と判断し、所定値以上のときにフィルタがモータに装着されていない異常状態と判断するようにしたものである。
【００１２】
また、水槽に貯水した状態でフィルタを低速で所定時間回転する際に、回転数センサが検知する回転数が所定範囲内のときに適正な貯水が行われた正常状態と判断し、所定範囲外のときに適正な貯水が実施されなかった異常状態と判断するようにしたものである。
【００１３】
また、フィルタを高速で回転した状態で噴射手段によりフィルタに水を噴射する際に、回転数センサが検知する回転数が所定値以上のときに正常に排水がなされたと判断し、所定値以下のときに排水手段の異常と判断するようにしたものである。
【００１４】
また、フィルタを高速で回転した状態で噴射手段によりフィルタに水を噴射する際に、フィルタを所定時間回転させた後に水を噴射するように制御し、回転数センサが検知する回転数が所定範囲内のときに適正な噴射が行われた正常状態と判断し、所定範囲外のときに適正な噴射が実施されなかった異常状態と判断するようにしたものである。
【００１５】
また、モータ、給水手段、排水手段、噴射手段の異常を判断した場合には、使用者への告知を行うようにしたものである。
【発明の効果】
【００１６】
本発明によれば、塵埃とともに固形状に付着している油を除去し、装置の構成を簡素化し、廉価にて、洗浄効果の高いフィルタ洗浄装置を提供できる。
【発明を実施するための最良の形態】
【００１７】
本発明の請求項１記載のフィルタ洗浄装置は、モータと、モータの回転数を検知する回転数センサと、モータで水平方向を回転軸として回転駆動されるフィルタと、フィルタの下方の一部を収納した水槽と、水槽に貯水する給水手段と、水槽の貯水を排水する排水手段と、水槽内においてフィルタに水を噴射する噴射手段と、モータと給水手段と排水手段と噴射手段とを制御する制御手段を構成要素として備え、制御装置は、水槽に貯水した状態でフィルタを低速で所定時間回転させ、次に排水手段により貯水を排水状態にし、次にフィルタを高速で回転した状態で噴射手段によりフィルタに水を噴射するようにし、次に噴射手段の噴射を停止しフィルターを高速で所定時間回転させる制御を実行し、回転数センサの信号を回転数の所定値と比較することにより、モータと給水手段と排水手段と噴射手段の正常と異常を判断し、異常を判断した場合には洗浄運転を停止することを特徴としている。このことにより、塵埃とともに固形状に付着している油を除去し、水槽の水位を検知するセンサや排水状態を検知するセンサなどを用いる必要が無く、すなわち、装置の構成を簡素化したフィルタ洗浄装置を提供できる。
【００１８】
本発明の請求項２記載のフィルタ洗浄装置は、請求項１記載の発明において、水槽に貯水した状態でフィルタを低速で所定時間回転させる制御の前に、フィルタを高速回転させ、回転数センサが検知する回転数が所定値以下のときにフィルタがモータに装着されている正常状態と判断し、所定値以上のときにフィルタがモータに装着されていない異常状態と判断することを特徴としている。このことにより、使用者がフィルタを取り外していることを検知するための特別なセンサを用いることなく検知し、洗浄運転を停止することができる。
【００１９】
本発明の請求項３記載のフィルタ洗浄装置は、請求項１記載の発明において、水槽に貯水した状態でフィルタを低速で所定時間回転する際に、回転数センサが検知する回転数が所定範囲内のときに適正な貯水が行われた正常状態と判断し、所定範囲外のときに適正な貯水が実施されなかった異常状態と判断することを特徴としている。このことにより、水槽内の適正水位を検知するための水位センサなどの特別なセンサを用いることなく適正な貯水を確保し、かつ、給水手段の故障もしくは排水手段の故障を検知して洗浄運転を停止することができる。
【００２０】
本発明の請求項４記載のフィルタ洗浄装置は、請求項１記載の発明において、フィルタを高速で回転した状態で噴射手段によりフィルタに水を噴射する際に、回転数センサが検知する回転数が所定値以上のときに正常に排水がなされたと判断し、所定値以下のときに排水手段の異常と判断することを特徴としている。このことにより、水槽内の排水状態を検知するための水位センサなどの特別なセンサを用いることなく排水手段の目詰まりや故障を検知して洗浄運転を停止することができる。
【００２１】
本発明の請求項５記載のフィルタ洗浄装置は、請求項１記載の発明において、フィルタを高速で回転した状態で噴射手段によりフィルタに水を噴射する際に、フィルタを所定時間回転させた後に水を噴射するように制御し、回転数センサが検知する回転数が所定範囲内のときに適正な噴射が行われた正常状態と判断し、所定範囲外のときに適正な噴射が実施されなかった異常状態と判断することを特徴としている。このことにより、噴射を検知するための特別なセンサを用いることなく水の噴射手段の目詰まりなどの異常もしくは故障を検知して洗浄運転を停止することができる。
【００２２】
本発明の請求項６記載のフィルタ洗浄装置は、請求項１〜５記載の発明において、モータ、給水手段、排水手段、噴射手段の異常を判断した場合には、使用者への告知を行うことを特徴としている。このことにより、洗浄運転においてモータ、給水手段、排水手段、噴射手段の各部位の故障を検知して使用者に告知、報知することができる。
【００２３】
以下、本発明の実施の形態について図面を参照しながら説明する。なお、説明をわかりやすくするために数字を例示しているが、本発明は、この数字に拘束されない。
【００２４】
（実施の形態１）
図１は、本発明の実施の形態１のレンジフードの構成を示す図、図２は図１のフィルタ部周辺の詳細な構成を示す図である。図１（ａ）は一部断面の正面図、図１（ｂ）は一部断面の側面図で、厨房の調理台（図示せず）の上方の壁面に設置される。図２（ａ）は正面図、図２（ｂ）は一部断面の側面図である。
【００２５】
図１において、レンジフード１は、排気ファン２と、これを駆動するモータ３と、円形のフィルタ４と、これを駆動するモータ５と、フィルタ４の一部を収納する水槽６と、水槽６に設けた噴射ノズル７と、水タンク８と、水タンク８で給水される貯水槽９と、貯水槽９内の水を汲み上げるポンプ１０と、切替弁１１と、排水弁１２及び排水トレイ１３とを備えている。
【００２６】
モータ３で排気ファン２が駆動されると、調理台周辺の空気は図示Ａのようにフィルタ４を介して屋外に排出されるが、この際に油煙や塵埃がフィルタ４に補足され、屋外には浄化された空気が排出される。
【００２７】
図２において、フィルタ４は、その下方の一部が水槽６内に収納され、レンジフード１内に固定された（図示しない）モータ５の駆動で図示Ｂの方向に回転する。
【００２８】
水槽６は、上方に給水孔６ａ、下方に排水孔６ｂを備え、側面に噴射ノズル７を備えている。
【００２９】
噴射ノズル７は、フィルタ４の回転時にフィルタ４の回転を迎える側の水槽６の側面に取り付けられており、図示Ｃのような水を噴射するための複数の噴射孔７ａを備えている。
【００３０】
カバー１４は、後述のフィルタ４が回転したときに飛散する油や水を水槽６内に回収するために備えられている。
【００３１】
図３は本発明の実施の形態における水回路と電気回路を示す図である。
【００３２】
まず、太線で示す水回路について説明する。
【００３３】
貯水槽９に滞留している水は、ポンプ１０が駆動することにより切替弁１１を経て給水孔６ａより水槽６に給水されるか、もしくは、噴射ノズル７で水として水槽６内に給水される。
【００３４】
水槽６内に滞留している水は、排水弁１２を開放することにより、水槽６内から排出され、排水トレイ１３に滞留する。
【００３５】
つぎに電気回路について説明する。
【００３６】
制御装置１５は、その内部にマイコンなどのＣＰＵと各種のインタフェース（図示せず）を備えており、ＣＰＵがそれぞれのインタフェースを介してモータ３、モータ５、ポンプ１０、切替弁１１、排水弁１２を制御する。
【００３７】
また、制御装置１５には、入力として、貯水槽９の水位を検知する水位センサ１６と、排水トレイ１３の有無を検知する排水トレイセンサ１７と、フィルタ４の回転数を検知する回転数センサ１８および、使用者に異常の情報を告知するための警報表示部１９とを備えている。
【００３８】
ここで、フィルタ洗浄の主要な行程における制御装置１５の概略の動作を、図４を参照しながら説明する。
【００３９】
図４は、主要な行程における構成要素の動作を示す図である。
【００４０】
まず、最初の給水行程は水槽６に給水する行程で、この行程では給水手段が作動する。
【００４１】
すなわち、ポンプ１０が作動し、切替弁１１は給水側に制御されて水槽６に給水が行われる。排水弁１２（排水手段）は、閉止状態である。
【００４２】
次の浸漬洗浄行程では、モータ５を低速で駆動し、フィルタ４を回転させる。
【００４３】
次の排水行程では、排水弁１２を開放にして水槽６内の水と油を排水トレイ１３に排出する。
【００４４】
次の噴射洗浄行程では、モータ５（フィルタ４）を高速で回転させながら噴射手段を作動する。すなわち、ポンプ１０を作動し、切替弁１１を噴射ノズル７側にしてノズル７から水をフィルタ４に向けて噴射する。この場合、排水弁１２は開放状態である。
【００４５】
最後の乾燥行程では、モータ５を高速で回転して遠心力で水を飛散し、モータ３（排気ファン２）を作動して乾燥を促進する。また、この場合も排水弁１２は開放状態である。
【００４６】
なお、排水トレイ１３は必ずしも必要ではなく、排水を直接に下水に流すようにしてもよく、この場合は、排水トレイセンサ１７は不要である。
【００４７】
また、給水はポンプ１０を電磁弁にして上水道から行ってもよく、この場合は、水タンク８、貯水槽９と水位センサ１６は不要である。
【００４８】
次に図５と図６を用いて回転数を用いた各種のセンサの機能について説明する。
【００４９】
図５は回転数センサの検知特性を説明するための図である。
【００５０】
図５（ａ）はモータ５のＳ−Ｔ特性（速度と回転トルクの関係）を示す図である。
【００５１】
トルクがゼロのときの最大速度がＳ１として、回転トルクが増大することにより回転数が低下する図のような特性を持つ例えば誘導電動機を、モータ５に用いている。
【００５２】
誘導電動機は印加する電圧によりＳ−Ｔ特性が変化するが、印加電圧が低い場合の特性をＤで、印加電圧を高くした場合の特性をＥで表している。
【００５３】
図５（ｂ）と図５（ｃ）は、フィルタ４を回転させた時の回転数と、その回転に必要なトルクの関係を示す、いわゆるフィルタ４のＳ−Ｔ特性を示す図であり、図５（ｂ）はモータの特性Ｄを併記した図、図５（ｃ）はモータの特性Ｅを併記した図である。
【００５４】
図６は回転数センサの検知機能の説明するための図である。この図に従って回転数センサの各種の検知機能を図５（ａ）と図５（ｂ）により説明する。
【００５５】
まず、ステップ（Ｓ）１０１では、フィルタ４が正しくモータ５の回転軸に装着されているかどうかを検知する。
【００５６】
水槽６に貯水されていない状態でのフィルタ４のＳ−Ｔ特性は図５（ｂ）の特性Ｆ２であり、フィルタがモータ５に装着されていない状態のＳ−Ｔ特性は、同様に特性Ｆ１である。従って、それぞれ回転数はＳ３とＳ２である。
【００５７】
そこで、回転数Ｓ３とＳ２の中間の所定の速度を閾値として、フィルタ４のモータ５への装着を判断する。すなわち、回転数ＳがＳ≦Ｓ２−α１であればフィルタ装着と判断し、否であればフィルタが未装着と判断する。この場合のα１は、特性Ｆ２と特性Ｆ１の回転数のばらつきを考慮して実験的に定める。
【００５８】
つぎに、Ｓ１０２では、水槽６内に適正に貯水されているかどうかを検知する。
【００５９】
水槽６に満水の状態でのフィルタ４のＳ−Ｔ特性は図５（ｂ）の特性Ｆ４であり、満水より低位の洗浄性能の確保できる下限の水位でのフィルタ４のＳ−Ｔ特性は、同様に特性Ｆ３である。従って、それぞれ回転数はＳ５とＳ４である。
【００６０】
そこで、フィルタ４の回転数ＳがＳ５とＳ４の範囲内であれば適正水位と判断し、否であれば給水異常と判断する。すなわち、回転数Ｓが、Ｓ５≦Ｓ≦Ｓ４であれば適正水位に貯水されている判断し、否であれば給水異常と判断する。ここでもＳ１０１と同様に回転数のばらつきを考慮してＳ５とＳ４の数値を決定するが記載を省略する。
【００６１】
つぎに、Ｓ１０３では、水槽６の水の排水が完了しているかどうかを検知する。
【００６２】
このステップでは、フィルタ４を高速で回転させ、その回転数で検知を行う。
【００６３】
この場合、水槽６が渇水状態でのフィルタ４のＳ−Ｔ特性は図５（ｃ）の特性Ｆ２であり、その時の回転数はＳ６である。
【００６４】
そこで、フィルタ４の回転数Ｓが、Ｓ≧Ｓ６−α２であれば排水が完了したと判断し、否であれば排水異常と判断する。なおα２はＳ１０１の場合と同様に回転数のばらつきを考慮して定める。
【００６５】
つぎに、Ｓ１０４では、水槽６内に適正に水が噴射されているかどうかを検知する。
【００６６】
このステップでも、フィルタ４を高速で回転させ、その回転数で検知を行う。
【００６７】
水の噴射を受けている状態でのフィルタ４のＳ−Ｔ特性は図５（ｃ）の特性Ｆ５であり、その時の回転数はＳ７である。
【００６８】
そこで、フィルタ４の回転数Ｓが、ばらつきα３を考慮して、Ｓ７−α３≦Ｓ≦Ｓ７＋α３であれば正常に水が噴射されていると判断し、否であれば噴射異常と判断する。
【００６９】
なお、図５（ｃ）の特性Ｆ４とＦ３は、水槽６に貯水した状態のフィルタ４のＳ−Ｔ特性であり、この特性の回転数Ｓ９とＳ８を用いて前述のＳ１０２での適正水位を判断してもよいが、回転数が大きく、このため水槽６内の水が飛散するので、この飛散を防止する対策が必要になる。
【００７０】
最後に、以上説明した図３〜図６を参照しながら図７を用いて制御装置１５の一連の詳細な動作を説明する。
【００７１】
図７は制御装置１５の一連の動作を説明するためのフローチャートである。
【００７２】
まず、使用者は、ぬるま湯を充填した水タンク８を貯水槽９に装着してスタートスイッチ（図示せず）を押すと、Ｓ（ステップ）２０１において、排水トレイセンサ１７で排水トレイ１３がセットされているかを調べ、ＹＥＳであれば次にＳ２０２において、水位センサ１６により貯水槽９の水位が満水であるかを調べる。
【００７３】
ここで、ＹＥＳであれば、次のＳ２０３でフィルタ４を低速で回転させ、次のＳ２０４において、図６のＳ１０１で説明したフィルタ４がモータ５に装着されているかを調べる。
【００７４】
このＳ２０１とＳ２０２とＳ２０４において、いずれかがＮＯであれは、Ｓ２０５において、使用者に不都合をガイダンスする。たとえば、排水トレイ１３がセットされていない場合には、排水トレイと表示されたランプを点滅させるなどである。
【００７５】
Ｓ２０４でＹＥＳであれば、Ｓ２０６においてフィルタ４の回転を停止し、次のＳ２０７において、排水弁１２を閉じて、ポンプ１０を駆動し、切替弁１１を給水側にして水槽６に給水して水槽内に水を蓄える。
【００７６】
ポンプ１０は所定時間（たええば６秒間）運転され（Ｓ２０８）、所定時間後のＳ２０９において給水を停止し、次のＳ２１０において、フィルタ４を低速（例えば毎分３０回転程度）で図２のＢの方向に回転させ、次のＳ２１１において、図６のＳ１０２で説明した適正水量であるかどうかの判定を行う。
【００７７】
適正水量でないＮＯと判断した場合は、Ｓ２１２でその旨のガイダンス（たとえば水量異常と表示されたランプを点滅）を実施し、Ｓ２２８で運転を停止するが、ＹＥＳであればフィルタ４の低速回転は所定時間（たとえば５分間）継続し（Ｓ２１３）、この間にフィルタ４に付着した油を水槽６内の水に離脱させる。
【００７８】
次にＳ２１４でフィルタ４の回転を停止し、次にＳ２１５で排水弁１２を開放して水槽６内の水を離脱した油と共に排水して排水トレイ１３に滞留させる。
【００７９】
この排水の動作は所定時間（たとえば３０秒間）待機し（Ｓ２１６）、次にＳ２１７において、フィルタ４を高速（例えば毎分１５００回転程度）で図２のＢ方向に回転させる。
【００８０】
次にＳ２１８において、図６のＳ１０３で説明した排水完了の検知を行う。
【００８１】
ここで、ＮＯ（排水不良）と判断されると、Ｓ２１９でその旨のガイダンスを使用者に行ってＳ２２８で運転は停止される。
【００８２】
ここでＹＥＳ（排水完了）と判断されると、次のＳ２２０で排気ファン２が駆動され、次にＳ２２１において、噴射ノズル７から水を所定時間（例えば２秒間）噴射する。
【００８３】
この噴射の間にＳ２２２において、図６のＳ１０４で説明した水が噴射されているかどうかの判定を行う。
【００８４】
ここでの判定がＮＯ（噴射異常）であれば、Ｓ２２３でその旨のガイダンスを行い、Ｓ２２８で運転を停止する。
【００８５】
ここでの判定がＹＥＳ（噴射正常）であれば、Ｓ２２４で噴射を所定時間（たとえば５秒間）休止し、再びＳ２２１に戻って水の噴射を繰り返す。
【００８６】
この間欠繰り返し噴射によりフィルタ４に残留している塵埃と油の固形物が剥離され、遠心力で周囲に飛散するのでフィルタ４の洗浄がさらに進行する。
【００８７】
また、この過程でフィルタ４から飛散する水の衝突により、カバー１４と水槽６の内壁に付着している油も剥離され、前述の剥離された固形物および噴射された水とともに排水弁１２から排出して排水トレイ１３に滞留される。
【００８８】
この繰り返しがＳ２２５で所定回数（たとえば３回）に達すると、Ｓ２２６において、噴射ノズル７から水を連続的に噴射させるが、この噴射はＳ２２７で検知される貯水槽９の水がなくなるまで継続される。
【００８９】
このことで貯水槽９の水を使い切り、水が長期間滞留することによる水の腐食を防止でき、加えて、水槽６の内部およびカバー１４の内面の洗浄もさらに進行させることができる。
【００９０】
Ｓ２２７で貯水槽９の水がなくなり、水の噴射が無くなったことを検知すると（ＹＥＳ）、Ｓ２２８でフィルタ４の回転、ポンプ１０と排気ファン２の駆動を停止して、フィルタ４の洗浄動作を終了する。
【００９１】
以上説明したように本発明のフィルタ洗浄装置は、フィルタの回転数を検知する回転数センサを備え、この回転数センサが検知する信号をそれぞれの洗浄行程の所定値と比較することにより、制御装置がそれぞれの洗浄行程を円滑に進行させるとともに、万一、行程に異常が発生した場合には行程の進行を停止して、使用者に故障部位を告知するようにしたものである。
【００９２】
なお、本実施の形態での、フィルタの回転数を検知するセンサはモータ５の電流を検知するセンサを設け、このモータの電流値をもって回転数とする方法にしても差し支えない。
【産業上の利用可能性】
【００９３】
本発明のフィルタ洗浄装置は、洗浄効果の高いフィルタの洗浄装置を廉価に製造できるので、家庭用以外の例えば業務用レンジフードの用途や、工場などの油煙除去装置などの用途にも適用できる。
【図面の簡単な説明】
【００９４】
【図１】本発明の実施の形態１のレンジフードの構成を示す図（（ａ）同、一部断面の正面図、（ｂ）同、一部断面の側面図）
【図２】同、フィルタ部周辺の詳細な構成を示す図（（ａ）同、正面図、（ｂ）同、一部断面の側面図）
【図３】本発明の実施の形態における水回路と電気回路を示す図
【図４】同、主要な工程における構成要素の動作を示す図
【図５】同、回転数センサの検知特性を説明するための図（（ａ）同、モータ５のＳ−Ｔ特性（速度と回転トルクの関係）を示す図、（ｂ）同、モータの特性Ｄを併記した図、（ｃ）同、モータの特性Ｅを併記した図）
【図６】同、回転数センサの検知機能の説明するための図
【図７】同、制御装置の一連の動作を説明するためのフローチャート
【符号の説明】
【００９５】
１    レンジフード
２    排気ファン
３    モータ
４    フィルタ
５    モータ
６    水槽
７    噴射ノズル
８    水タンク
９    貯水槽
１０  ポンプ
１１  切替弁
１２  排水弁
１３  排水トレイ
１５  制御装置
１８  回転数センサ
１９  警報表示部
【図１】
0005003316.tif 000002
【図２】
0005003316.tif 000003
【図３】
0005003316.tif 000004
【図４】
0005003316.tif 000005
【図５】
0005003316.tif 000006
【図６】
0005003316.tif 000007
【図７】
0005003316.tif 000008